(57)【要約】本発明は、オーディオビジュアル情報のストリーム（２０１）の処理コピー（２０２）を生成する方法に関する。この方法において、前記処理コピーは、再生リストファイル（２４０）によって表される。この再生リストファイル（２４０）は、オーディオビジュアル情報のオリジナルストリーム（２０２）のどの断片が処理コピー（２０２）に含まれるかを示す。前記方法は、特別な情報を再生リストファイルに組み込むことによって、ユーザがマーカー（３２１）及び追加情報（４２１）を処理コピーに加えられることも可能にする。
2004520674.tif 000002
【特許請求の範囲】
【請求項１】
記録担体に記憶されたオーディオビジュアル情報のオリジナルストリームの処理コピーを生成し、前記処理コピーは、前記オーディオビジュアル情報のオリジナルストリームの断片を少なくとも有する方法において、
（ａ）前記オーディオビジュアル情報のオリジナルストリームのどの断片が前記コピーに含まれなければならないかを示す再生リストファイルが、前記各処理コピーに対し生成され、
（ｂ）前記記録担体からオーディオビジュアル情報を読み取るように構成された装置が、前記再生リストファイル及び前記オーディオビジュアル情報のオリジナルストリームを参照して前記コピーを生成する、
ことを特徴とする方法。
【請求項２】
請求項１に記載の方法において、前記断片は、前記オーディオビジュアル情報のオリジナルストリームとは異なるシーケンスで前記再生リストファイルに順序付けされることを特徴とする方法。
【請求項３】
請求項１に記載の方法において、少なくともマーカーが処理コピーにおいて示されることを特徴とする方法。
【請求項４】
請求項３に記載の方法において、前記マーカーは、前記オーディオビジュアル情報のオリジナルストリームにおけるフレームに結合されることを特徴とする方法。
【請求項５】
請求項３に記載の方法において、前記マーカーは、前記再生リストファイルに記憶されることを特徴とする方法。
【請求項６】
請求項３に記載の方法において、ユーザは、前記マーカーから前記コピーを表示装置上に表示することができる方法。
【請求項７】
請求項６に記載の方法において、当該方法は、
（ａ）前記マーカーを表す視覚情報を表示するステップ、及び
（ｂ）前記ユーザが前記マーカーを選択することを可能にするステップ、
を少なくとも有することを特徴とする方法。
【請求項８】
請求項１に記載の方法において、ユーザは、以下の形式の追加情報のうちの少なくとも１つを前記コピーの断片間に表示することができ、
（ａ）テキスト断片
（ｂ）画像
（ｃ）音声断片
（ｄ）フィルム断片
前記追加情報は、前記再生リストファイルと共に記憶され、前記追加情報の前記コピーにおける位置は、前記再生リストファイルにおいて示されていることを特徴とする方法。
【請求項９】
請求項１に記載の方法において、ユーザは、以下の形式の追加情報のうちの少なくとも１つを前記コピーの断片の少なくとも１つの間に表示することができ、
（ａ）テキスト断片
（ｂ）画像
（ｃ）音声断片
（ｄ）フィルム断片
前記追加情報は、前記再生リストファイルと共に記憶され、前記追加情報の前記コピーにおける位置は、前記再生リストファイルにおいて示されていることを特徴とする方法。
【請求項１０】
オーディオビジュアル情報を表示する装置であって、記録担体上に記憶されるオーディオビジュアル情報のオリジナルストリームの処理コピーを生成するように構成された処理ユニットを有し、前記処理コピーは、前記オーディオビジュアル情報のストリームの断片を少なくとも有する装置において、前記処理ユニットは、
（ａ）前記各処理コピーに対し再生リストファイルを形成し、前記再生リストファイルが前記オーディオビジュアル情報のオリジナルストリームのどの断片が前記コピーに含まれなければならないかを示し、
（ｂ）前記再生リストファイル及び前記オーディオビジュアル情報のオリジナルストリームを参照して前記処理コピーを生成する、
ようにさらに構成されていることを特徴とする装置。
【発明の詳細な説明】
【０００１】
【発明の属する技術分野】
本発明は、記録担体上に記憶されるオーディオビジュアル情報のオリジナルストリームの処理コピーを生成する方法に関し、この処理コピーは、オーディオビジュアル情報のストリームの断片を少なくとも有する。本発明は、オーディオビジュアル情報を表示する装置にも関し、この装置は、記録担体上に記憶されるオーディオビジュアル情報のオリジナルストリームの処理コピーを生成するように構成される処理ユニットを有し、この処理コピーはオーディオビジュアル情報のストリームの断片を少なくとも有する。
【０００２】
【従来の技術】
オーディオビジュアル情報のオリジナルストリームを処理する及び／又はオーディオビジュアル情報のオリジナルストリーム若しくはオーディオビジュアル情報のオリジナルストリームの断片をコピーするとき、所望するならば、特別なデータがペーストされたオーディオビジュアル情報のオリジナルストリームから情報をカット及びペーストするのに利用される。既知の方法は、オーディオビジュアル情報のオリジナルストリームが処理されるとすぐに、このオリジナル情報が無くなってしまうという欠点を持っている。この既知の方法は、オーディオビジュアル情報のオリジナルストリームから生成されるとき、コピーは、オーディオビジュアル情報のオリジナルストリームに加えて、記録媒体上に特別な空間を占めるという他の問題も持っている。
【０００３】
【発明が解決しようとする課題】
本発明の目的は、オーディオビジュアル情報のオリジナルストリームが完全なまま残り、このオーディオビジュアル情報の処理コピーは、オーディオビジュアル情報のオリジナルストリームの断片が実際に占める場合よりもかなり少なく空間を占めるようなやり方でオーディオビジュアル情報のオリジナルストリームの処理コピーを生成及び表示することをユーザに可能にすることである。
【０００４】
本目的は、本発明による方法を用いて達成され、オーディオビジュアル情報のオリジナルストリームのどの断片がコピーに含まれなければならないことを示す再生リストファイルが各処理コピーに対し形成され、記録担体からオーディオビジュアル情報を読み取るように構成された装置は、再生リストファイル及びオーディオビジュアル情報のオリジナルストリームを参照してコピーを生成することを特徴とする。
【０００５】
【課題を解決するための手段】
本発明による方法は、オーディオビジュアル情報のオリジナルストリームの処理コピーを表す再生リストファイルが、オーディオビジュアル情報のオリジナルストリームの断片から物理的に構成されるコピーよりも記録担体上においてかなり少ない空間を一般的に占めるという利点を有する。
【０００６】
追加の利点は、本発明による方法が、オーディオビジュアル情報のオリジナルストリームを失わせること無くオーディオビジュアル情報のオリジナルストリームを処理する可能性を提供することである。本発明による方法の他の実施例において、処理コピーが追加情報を備えるときでもこの利点は提供される。オーディオビジュアル情報のオリジナルストリームも記録される記録担体上に追加情報を記憶することによって、本発明による方法の他の実施例において、例えば、テキスト断片、画像、音声断片又はフィルム断片のような追加情報が処理コピーに加えられる。次いで、処理コピーが生成される瞬間にこの処理コピーにおいて追加情報が始められる場所及び方法が再生リストファイルに示される。
【０００７】
本発明による方法の他の実施例において、マーカーを処理コピーに追加することも可能である。これらマーカーは、当業者には知られた例えば早送り及び巻戻しのような標準的なトリックモードを単に使用する場合と比べて簡単なやり方で処理コピーを通してユーザが閲覧することを可能にする。本発明の他の実施例に従って、マーカーの参照は再生リストファイルに記憶される。
【０００８】
本発明による装置は、処理ユニットが各処理コピーに対する再生リストファイルを作成するように構成され、この再生リストファイルは、オーディオビジュアル情報のオリジナルストリームのどの断片がこのコピーに含まれなければならないかを示すことを特徴とする。
【０００９】
【発明の実施の形態】
本発明のこれら及び他の様態は、以下に記載される実施例から明らかであり、この実施例を参照して説明される。
【００１０】
図１は、本発明による方法を用いてオーディオビジュアル情報のオリジナルストリームの処理コピーを発生させるシステム１００の可能な実施例を示す。このシステムは、処理ユニット１０１、第１メモリ１０２、第２メモリ１０３、動作パネル１０４及び表示装置１０５を有する。このオーディオビジュアル情報のオリジナルストリームは、第１メモリ１０２に記憶されている。第１メモリ１０２は、システム１００内に固定されたハードディスク又は固定された光学ディスクでもよいが、代わりに例えば取外し可能なハードディスク又は取外し可能な光学ディスク若しくは取外し可能な又は固体状態のメモリを用いることも可能である。これは第２メモリ１０３にも適用される。
【００１１】
図２Ａは、第１メモリ１０２（図１参照）に記憶されたオーディオビジュアル情報のオリジナルストリーム２０１を示す。本発明による方法は、ユーザがオーディオビジュアル情報のオリジナルストリーム２０１の複数の処理コピーを発生することを可能にする。図２Ａは、情報のオリジナルのオーディオビジュアルストリーム２０１の処理コピー２０２を示す。この処理コピー２０２は、情報のオリジナルストリーム２０１の断片を有する。示される実施例において、処理コピー２０２は、第１の断片２１１、第２の断片２１２及び第３の断片２１３を有する。
【００１２】
前記処理コピーは、図２Ｂにおいて、再生リストファイル２４０によって表される。この再生リストファイル２４０は、この再生リストファイル２４０の少なくともサブテーブルのアドレスを持つアドレステーブル２４１とサブテーブル再生リスト２４２とを少なくとも有する。サブテーブル再生リスト２４２は、このサブテーブル再生リスト２４２に構成要素が幾つ含まれているかを示す指示器２５０を有する。サブテーブル再生リスト２４２は更に、構成要素２５１を有する。サブテーブル再生リスト２４２の構成要素２５１は、再生リストファイル２４０により表される処理コピー２０２と関連するオーディオビジュアル情報のオリジナルストリーム２０１の断片を表す。構成要素２５１は、例えば処理コピー２０２と関連する断片２１１を表す。構成要素２５１は、インポイント（ｉｎ−ｐｏｉｎｔ）２５６及びアウトポイント（ｏｕｔ−ｐｏｉｎｔ）２５７を有する。インポイントは、断片の開始点であり、オーディオビジュアル情報のオリジナルストリーム２０１における位置である。アウトポイントは、断片の終了点であり、オーディオビジュアル情報のオリジナルストリーム２０１における位置である。
【００１３】
本発明の他の実施例において、処理コピーは、マーカーを用いて拡張される。図３Ａは、オーディオビジュアル情報のオリジナルストリーム３０１と、このオーディオビジュアル情報のオリジナルストリーム３０１の第１の断片３１１、第２の断片３１２及び第３の断片３１３を有する処理コピー３０２とを示す。この処理コピー３０２は、アドレステーブル３４１を有する再生リストファイル３４０により表される（図３Ｂ）。前記断片のインポイント及びアウトポイントに関する情報は、再生ファイルリスト３４０のサブテーブル再生リスト３４２に記憶される。
【００１４】
第１のマーカー３２１は断片３１１を示し、第２のマーカー３２２及び第３のマーカー３２３は断片３１２を示す。これらマーカーを処理コピーと結び付けるために、再生リストファイル３４０は、アドレス情報がアドレステーブル３４１に記憶されるマーカーサブテーブル３４３を有する。このマーカーサブテーブル３４３は、マーカーサブテーブル３４３内にマーカー参照が幾つ含まれているかを示す指示器３６０を有する。その上、このマーカーサブテーブル３４３は、少なくとも１つのマーカー参照３６１を有する。各マーカーは、オーディオビジュアル情報のオリジナルストリーム３０１における位置を示す。示される実施例において、マーカーサブテーブル３４３は、第１のマーカー３１１と呼ばれる第１のマーカー参照３６１、第２のマーカー３１２と呼ばれる第２のマーカー参照３６２及び第３のマーカー３１３と呼ばれる第３のマーカー参照３６３を有する。本発明の示される実施例において、前記位置は、オーディオビジュアル情報のストリーム３０１におけるフレーム番号であるが、代わりに、例えば時点からなる形式で位置を示すことも可能である。
【００１５】
ユーザがマーカー３２１、３２２及び３２３を介して加速的なやり方で処理コピーを閲覧することをさらに可能にする。可能な実施例において、処理コピーが表示装置１０５（図１）上に表示されている間、ユーザは、動作パネル１０４（図１）上の入力手段（図示せず）を用いることによって後続するマーカーへ行くことができる。このようにして、ユーザは、断片３２１を見ている間に断片３１２における第２のマーカー３２２に行き、この第２のマーカー３２２から処理コピーを表示装置１０５（図１）において見ることができる。
【００１６】
処理コピーを閲覧する他の可能性は、図３Ｃに示されている。先に述べられたように、本発明の示される実施例において、マーカーはオーディオビジュアルのオリジナルストリームにおけるフレームに結合される。表示装置１０５上のモザイク画像においてマーカーが参照するフレームのビジュアル情報を表示することによって、ユーザは、全てのマーカーの調査を行わせる。これは、図３Ｃに示されている。マーカーサブテーブル３４３における情報を用いて、処理ユニット１０１（図１）は、マーカー参照３６１、３６２及び３６３に関連する、オーディオビジュアル情報のオリジナルストリームにおけるマーカー３２１、３２２及び３２３を調べて、関連するフレームを調べる。次いで、これらフレームのビジュアル情報が表示装置１０５（図１）上に表示される。図３Ｃは、画像３７１、すなわちマーカー３２１に関連するオーディオビジュアル情報のオリジナルストリーム３０１におけるフレームのビジュアル情報を持つモザイク画像３７０を示す。その上、モザイク画像３７０は、画像３７２、すなわちマーカー３２２に関連するオーディオビジュアル情報のオリジナルストリーム３０１におけるフレームのビジュアル情報と、画像２７２、すなわちマーカー３２３に関連するオーディオビジュアル情報のオリジナルストリーム３０１におけるフレームのビジュアル情報とを有する。ここでは、ユーザが処理コピー３０２を見たいと思うポイントを選択するために、動作パネル１０４（図１）上の入力手段（図示せず）を介して、モザイク画像３７０の画像を選択することができる。ユーザが例えばモザイク画像３７０の画像３７２を選択する場合、処理コピーは、マーカー３２２から示されるだろう。このようにして、第２の断片３１２の一部が表示され、マーカー３２２から断片３１２のアウトポイントへ、断片３１３が連続して完全に表示される。
【００１７】
本発明の他の実施例において、追加情報が処理コピーに加えられる。この追加情報は、例えば画像、写真、テキスト断片、音声断片でもよいが、異なる形式の情報も可能である。追加情報は、例えばＰＣ又はデジタル若しくはビデオカメラ（図示せず）を用いてメモリ１０２（図１）に記憶されてもよい。その後、処理コピーの２つの断片間にある追加情報を表示することが可能である。オーディオビジュアル情報のオリジナルストリームの断片の表示と同時に、表示装置１０５（図１）上に追加情報、例えばテキスト断片を表示することも可能である。
【００１８】
図４Ａは、オーディオビジュアル情報のオリジナルストリーム４０１の処理コピー４０２を示す。この処理コピー４０２は、第１の断片４１１、第２の断片４１２及び第３の断片４１３を有する。この処理コピー４０２は、少なくとも再生リストファイルサブテーブル４４０のアドレスを持つ少なくともアドレステーブル４１１と少なくともサブテーブル再生リスト４４２とを有する図４Ｂにおける再生リストファイル４４０によって表される。サブテーブル再生リスト４４２は、このサブテーブル再生リスト４４２に構成要素が幾つ含まれているかを示す指示器４５０を有する。構成要素４５１が処理コピー４０２に関連する、オーディオビジュアル情報のオリジナルストリーム４０１の断片を表すように、サブテーブル再生リスト４４２はさらにインポイント４５６及びアウトポイント４５７を備える構成要素４５１を有する。
【００１９】
処理コピー４０２は、テキスト断片４２１及び画像４２２の形式の追加情報によって拡張される。処理コピー４０２がメモリ１０２（図１）から読み取られる間、この追加情報を表示装置１０５（図１）に表示するために、再生リストファイル４４０は、アクションサブテーブル４４４によって拡張される。
【００２０】
アクションサブテーブル４４４は、一般情報のブロック４７１を有する。この一般情報４７１のブロックは、アクションサブテーブル４４４のフォーマットに関する情報を有する。代わりに、アクションサブテーブル４４４を作成したユーザに関する情報又は再生リストを作成したシステムに関する情報を記憶することも可能である。サブテーブル４４４における指示器４７２は、サブテーブル４４４にアクションが幾つ含まれているかを示す。その上、このアクションサブテーブル４４４は、少なくともアクション４７６を有している。アクション４７６は、このアクション４７６によって表されるアクションの形式を示す指示器４８１、前記アクションによって必要とされる情報、例えば画像４２２を示す参照４８２、アクション４７６が始めなければならないときを示すインポイント４８３及び前記アクションの長さを示す期間４８４を有する。
【００２１】
図４Ａは、２つの可能なアクションを示す。図４Ａに示されるアクションの実施例は、処理コピー４０２が表示装置１０５（図１）に表示される間、画像４２２は、期間４３１において処理コピー４０２の第１の断片４１１と第２の断片４１２との間に示される。図４Ａに示されるアクションの他の実施例は、処理コピー４０２が表示装置１０５（図１）に表示される間、テキスト断片４２１が第３の断片４１３の間に表示され、このテキスト断片とオーディオビジュアル情報のオリジナルストリームの画像とは、期間４３２の間で互いに重複している。アクションの他の可能性は、処理コピーにおける２つの断片の開始点及び終了点又は２つの断片のフェードイン／フェードアウトの重複である。その上、画像又はテキスト断片の代わりにフィルム断片を表示すること及び／又は表示装置１０５（図１）を用いて音声断片を作成することが可能である。さらに、当業者に知られる多くの他のアクションの可能性が存在する。
【００２２】
図５において、再生ステップのフローチャート５００は、本発明の示される実施例に従って、システム１００（図１）を用いて処理コピー４０２（図４Ａ）が表示装置１０５（図１）に示される方法を示す。処理コピー４０２（図４Ａ）の再生は、処理５０１で始まり、これは処理コピー４０２（図４Ａ）を表す再生リストファイル４４０（図４Ｂ）が選択されることを意味する。この再生リストファイルがこの方法の示される実施例において第１のメモリ１０２（図１）に記憶されるので、この再生リストファイルは、再生リストファイル４４０（図４）を選択した後、この第１のメモリ１０２（図１）から第２のメモリ１０３（図１）へロードされる。これは、再生フロー５００において処理５０２である。次いで、システム１００（図１）は、処理５０３及び処理ユニット１０１（図１）を用いて、本実施例における第１の断片４１１、第２の断片４１２及び第３の断片４１３（図４Ａ）を備える再生行を生成し、各断片は、オーディオビジュアル情報のオリジナルストリーム４０１（図４Ａ）における関連する断片の開始を示すインポイントと、オーディオビジュアル情報４０１のオリジナルストリームにおける関連する断片の終了を示すアウトポイントからなる。示される実施例において、再生行は、第２のメモリ１０３（図１）に記憶される。処理５０３が終了したとき、フレームカウンタ（図示せず）は、処理５０４において初期化される。この再生フロー５００の後の処理において、フレームカウンタは、表示装置１０５（図１）上に表示される処理コピー４０２（図４Ａ）と関連するオーディオビジュアル情報のオリジナルストリーム４０１（図４Ａ）のフレームの数を計算している。示される実施例において、前記カウンタは、表示されるフレームを計算するが、当然このカウンタが代わりに経過時間又はまだ行くべき時間を維持することも可能である。
【００２３】
その後、決定ステップ５０５において、システム１００（図１）が再生リストファイル４４０においてアクションサブテーブル４４４（図４Ｂ）を認識するかが調べられる。これは、アクションサブテーブル４４４（図４）の一般情報のブロック４７１を参照して検査される。システム１００（図１）がアクションデータを認識する場合、処理ユニット１０１（図１）は、示される実施例において、第２のメモリ１０３（図１）に記憶される処理５２１においてアクション行を生成する。システム１００がアクションサブテーブル４４４（図４Ｂ）を認識しない場合、処理ユニット１０１（図１）は、処理５０６において空のアクション行を生成し、このアクション行は、第２のメモリ１０３（図１）に記憶される。処理５２１又は処理５０６においてアクションリストを生成した後、再生行における第１の断片の第１フレームは、処理５０７においてオーディオビジュアル情報４０１（図４Ａ）のオリジナルフレームにおいて検索される。処理５０８において、この第１の断片の第１フレームは、表示装置１０５（図１）上に表示される。次いで、決定ステップ５０９が実行され、このステップにおいて、カウンタの値が処理５２１又は処理５０６において生成されたアクションリストの第１アクションのインポイント４８３（図４Ｂ）に一致するかを確かめられる。カウンタがアクションリストの第１アクションのインポイント４８３（図４Ｂ）に一致する場合、前記アクションは、処理５２２において実行される。
【００２４】
アクションが長い期間、表示装置１０５（図１）上に他の画像の表示を含んでいる一方、処理コピー４０２（図４Ａ）に関連するオーディオビジュアル情報のオリジナルストリーム４０１（図４Ａ）の後続するフレームも表示されなければならない場合、他のカウンタは、サブルーチン（図示せず）において始まらなければならない。後続するフレーム毎に表示をするとき、この他のカウンタは、期間４８４の値と他のカウンタの値とが等しくなるまで、処理５０８において期間４８４（図４Ｂ）と比較される。中間の期間において、他の画像は、表示装置１０５（図１）に表示されるだろう。期間４８４の値と他のカウンタの値とが等しくなる場合、前記他のカウンタは初期化され、他の画像は、表示装置１０５（図１）上にはもはや表示されない。他の実施例において、画像を表示する代わりに音声の断片が再生されてもよい。
【００２５】
前記アクションが処理コピーの２つの断片の間に追加情報の一部の表示を含む場合、前記再生フローは、処理５２２に留まり、追加情報は、前記アクションのアクションデータに示される期間の間、表示される。このアクションを実行した後、再生フロー５００は後続する処理に変わる。
【００２６】
前記アクションを実行した後、このアクションは、後続するアクションが前記行において最初に来るために、処理５２３においてアクション行から削除される。次いで、フレームカウンタは、示される実施例において、処理５１０で１ずつ増大する。カウンタの値とインポイント４８３（図３）が決定ステップ５０９において一致しない場合、処理５１０は、直接初期化され、実行される。処理５１０においてカウンタを増大させた後、決定ステップ５１１が続く。この決定ステップ５１１において、カウンタの値は、再生される断片のアウトポイントと比較される。カウンタと再生される断片のアウトポイントとが一致しない場合、処理５０８は、決定ステップ５１１から再び初期化される。カウンタと再生される断片のアウトポイントとが一致する場合、処理５１２が初期化される。処理５１２において、インポイント及びアウトポイントを有する再生される断片の表示が再生行から削除される。
【００２７】
処理５１２の後、決定ステップ５１３が続き、このステップにおいて再生行が依然として他の断片を含んでいるか調べられる。他の断片を含んでいる場合、処理コピー４０２（図４Ａ）に関連する再生行の次の断片のインポイントは、処理５０７においてオーディオビジュアル信号のオリジナルストリーム４０１（図４Ａ）において検索される。決定ステップ５１３において、再生行が空である場合、処理コピーの再生は、終了点５１４において終了する。前記コピーの再生も当然、当業者に知られる標準的なトリックモードの停止を用いて終了される。その上、処理コピー４０２（図４Ａ）が表示装置１０５（図１）上に表示されるとき、当業者に知られる標準的なトリックモード、例えば早送り及び巻戻しを利用可能にすることができる。ここで述べられた再生フロー５００は、単に本発明の実施例であり、示される方法の範囲内にある他の実施例も当然代わりに可能である。
【００２８】
示される方法の実施例において、オーディオビジュアル情報のオリジナルストリームの処理コピーを表すための再生リストファイルを作成する可能性が多くある。再生リストファイルの作成の可能な実施例は、図６に示される。この図は、標準的なトリックモードを用いて、インポイント及びアウトポイントを作成することによってサブテーブル再生リストを持つ再生リストファイルをユーザが作成可能にする処理ステップからなるフローチャート６００を示す。これは処理ステップからなるフローチャート６００を参照して説明される。この処理フロー６００は、システム１００（図１）が処理状態に設定される瞬間に開始する。ユーザは、動作パネル１０４（図１）上の入力手段（図示せず）を介してシステム１００（図１）を処理状態に設定することができる。処理フロー６００は、開始点６０１で始まる。システム１００（図１）は、処理６０２において第１の断面のインポイントを選択するのを待っている間、ユーザは、次いで動作パネル１０４（図１）上の入力手段（図示せず）を介して処理コピーの第１の断片の第１のインポイントを選択することができる。オーディオビジュアル情報のオリジナルストリームにおけるインポイントを検索するために、ユーザは、動作パネル１０４によって与えられる命令に従って、表示装置１０５（図１）に表示されるオーディオビジュアル情報のオリジナルストリームを用いて、動作パネル１０４（図１）上の標準的なトリックモードの入力手段を使用することができる。ユーザが第１の断片の第１のインポイントを選択したことをシステム１００（図１）が検出する場合、処理フロー６００は、決定ステップ６０３における処理を処理６０４に進め、この処理において、第１の断片の第１のインポイントは、記載された方法の示される実施例に従って、第２のメモリ１０３（図１）に記憶される。
【００２９】
処理６０４において選択されたインポイントを保存した後、処理フロー６００は、動作パネル１０４（図１）上の入力手段（図示せず）を介してユーザが第１の断片のアウトポイントを選択することができる処理６０５へ進む。処理６０５の間に、ユーザは、動作パネル１０４（図１）を用いて与えられる命令に従って、表示装置１０５（図１）上に表示されるオーディオビジュアル情報のオリジナルストリームを用いて、動作パネル１０４（図１）上の標準的なトリックモードの入力手段（図示せず）を利用することができる。ユーザが第１のアウトポイントを選択したことをシステム１００（図１）が検出した場合、処理フロー６００は、決定ステップ６０６における処理を処理６０７へ進め、この処理において、第１の断片の第１のアウトポイントは、示される実施例に従って第２のメモリ１０３（図１）に記憶される。その上、処理ユニット１０１（図１）は、第１のインポイント及び第１のアウトポイントを用いて再生リストファイルの再生リストサブテーブルにおいて第１の断片を形成する。これら第１のインポイント及び第１のアウトポイントを有する、処理コピーの第１のフラグメントの実施例は、示される実施例において第２のメモリ１０３（図１）に記憶される。
【００３０】
ユーザにトリックモードを使用可能にすることによって、オーディオビジュアル情報のオリジナルストリームにおける第１のインポイントより先に、第１のインポイントを選択することが可能となる。これは、間違った断片を生じさせる。アウトポイントがインポイントよりも先に選択される場合、示される実施例においてシステム１００（図１）は、エラーメッセージを与え、システム１００は、ユーザが二回目のアウトポイントを選択することを可能にする。
【００３１】
他の実施例において、第１のアウトポイントを選択したとき、標準的なトリックプレイモードを用いた早送り動作は、ユーザを第１のインポイントよりも遠くへ巻戻すのを防ぐことを代わりに可能にする。これは、システム１００（図１）に制限を挿入することにより可能である。このようにして、ユーザは、第１のインポイントより先に第１のアウトポイントを選択する、よって間違った断片を作成することを防がれる。
【００３２】
第１の断片が処理６０７において記憶された後、ユーザによる入力を待つ時間は、処理６０８において観測される。ユーザは、動作パネル１０４（図１）上の入力手段（図示せず）を介して第２の断片の第２の開始点を検索及び選択することができる。ユーザは、動作パネル１０４（図１）上の入力手段（図示せず）を介してシステム１００（図１）における処理設定動作を削除することもできる。この入力は決定手段６０９において評価される。入力が検出されない場合、処理フローは、処理６０８へ戻る。動作パネル１０４（図１）を介し、入力によって新しいインポイントの選択を検出するとき、処理フロー６００は、この処理フロー６００が記載されるようにさらに続く処理６０４へ進む。
【００３３】
システム１００（図１）における処理設定を削除する動作パネル１０４（図１）を介した命令の入力を検出するとき、処理フロー６００は、決定ステップ６０９の後、処理６１０へ進む。この処理６１０において、少なくとも第１の断片を持つサブテーブル再生リストは、示される実施例に従って第２のメモリ１０３（図１）に記憶される。処理６１０を完了した後、処理フロー６００は、処理６１１へ進む。この処理６１１において、次のステップで作成されるべき再生リストファイル用のアドレステーブルが生成される。この処理６１２において、再生リストファイルは、次いでサブテーブル再生リスト及びアドレステーブルで形成され、再生リストファイルは、オーディオビジュアル情報のオリジナルストリームに加えて、第１のメモリ１０２（図１）に記憶される。代わりに、再生リストファイルを第２のメモリ１０３（図１）に記憶することも当然可能である。再生リストファイルを記憶した後、処理フロー６００は、終了点６１３において終了する。
【００３４】
システム１００（図１）が処理設定動作中である場合、ユーザはオーディオビジュアル情報のオリジナルストリームにおいてマーカーを選択することが代わりに可能であり、これらマーカーも再生リストファイルに記憶される。マーカーサブテーブルはその後、マーカーのために生成され、このサブテーブルは、再生リストファイルに記憶される。
【００３５】
処理フロー６００（図１）に従って再生リストファイルを作成した後、ユーザは、再生フロー５００（図５）に従って表示装置１０５（図１）に表示される処理コピーに例えばアクション及びマーカーのような追加情報を加えてもよい。これは、ＰＣ（図示せず）を用いて可能であるが、システム１００（図１）を使用し、ユーザーインタフェース（図示せず）を用いて追加情報を処理コピーに加えることも代わりに可能である。
【図面の簡単な説明】
【図１】オーディオビジュアル情報のストリームを記憶及び表示するシステムを示す。
【図２Ａ】オーディオビジュアル情報のオリジナルストリームとこのストリームの処理コピーとを示す。
【図２Ｂ】簡単な再生リストファイルを概略的に示す。
【図３Ａ】オーディオビジュアル情報のオリジナルストリームとマーカーを持つこのストリームの処理コピーとを示す。
【図３Ｂ】マーカーに関連するデータを持つ拡張される再生リストファイルを概略的に示す。
【図３Ｃ】マーカーを示す視覚情報を持つモザイク画像を示す。
【図４Ａ】オーディオビジュアル情報のオリジナルストリームと追加情報を持つこのストリームの処理コピーとを示す。
【図４Ｂ】アクションに関連するデータを持つ拡張される再生リストファイルを概略的に示す。
【図５】追加情報を持つ処理コピーを表示するための再生ステップのフローチャート。
【図６】オーディオビジュアル情報のオリジナルストリームの処理コピーを生成する処理ステップのフローチャート。
【国際公開パンフレット】
2004520674.tif 000003
2004520674.tif 000004
2004520674.tif 000005
2004520674.tif 000006
2004520674.tif 000007
2004520674.tif 000008
2004520674.tif 000009
2004520674.tif 000010
2004520674.tif 000011
2004520674.tif 000012
2004520674.tif 000013
2004520674.tif 000014
2004520674.tif 000015
2004520674.tif 000016
2004520674.tif 000017
2004520674.tif 000018
2004520674.tif 000019
2004520674.tif 000020
2004520674.tif 000021
【国際調査報告】
2004520674.tif 000022
2004520674.tif 000023
2004520674.tif 000024